(57)【要約】【課題】  小型情報機器の配送容器を、繰り返し使用を可能にして梱包資材費を削減することによって物流コストを低減し、梱包・開梱作業を簡単にして作業効率を上げ、環境保全の要請に応える。【解決手段】  配送容器は、外装箱Ａ内で上下に積層する緩衝体Ｂ・Ｃ間に小型情報機器Ｐを挟んで収納し、外装箱の蓋体２を閉めたとき、小型情報機器を上下緩衝体間で挟圧保持する。上下の緩衝体Ｂ・Ｃは、それぞれ収納する小型情報機器を圧接するとその外形状に合わせて凹状に弾性変形する低反発弾性を有したウレタン樹脂素材からなる第１クッション材１０・２０と、その第１クッション材に張り合わせた第２のクッション材１５・２５とからなる。第２クッション材には、その第１クッション材が張り合わさる片面に、小型情報機器の外形と対応する凹み形状の嵌め付け凹部３０・３５を形成している。【選択図】          図１
2005206250.tif 000002
【特許請求の範囲】
【請求項１】
箱形の容器本体と該容器本体を開閉する蓋体とからなる外装箱と、前記容器本体内に出し入れ可能に上下に積層して配設する緩衝体とを備え、それら上下の緩衝体間に小型情報機器を挟んで前記容器本体内に収納し、前記蓋体を閉めたとき前記小型情報機器を前記緩衝体間で挟圧して保持する配送容器であって、
前記上下緩衝体は、それぞれ収納する前記小型情報機器を圧接するとその外形状に合わせて凹状に弾性変形する低反発弾性を有したウレタン樹脂素材からなる第１クッション材と、該第１クッション材に張り合わせた第２のクッション材とからなり、該第２クッション材の前記第１クッション材が張り合わさる片面に、前記小型情報機器の外形と対応する凹み形状の嵌め付け凹部を形成してなることを特徴とする、小型情報機器の配送容器。
【請求項２】
前記上下緩衝体の第１クッション材は、それぞれ低反発弾性を有するポリエーテルポリオール系ウレタン樹脂からなることを特徴とする、請求項１に記載の小型情報機器の配送容器。
【請求項３】
前記上緩衝体の第２クッション材は、その他面に前記小型情報機器の付属品収納凹部を形成してなることを特徴とする、請求項１又は２に記載の小型情報機器の配送容器。
【請求項４】
前記外装箱には、前記容器本体内に出し入れ可能に嵌め込んで使用する上側開放型の内箱を内装し、該内箱内に、間に前記小型情報機器を挟んで前記上緩衝体と前記下緩衝体を配設してなることを特徴とする、請求項１、２又は３に記載の小型情報機器の配送容器。
【請求項５】
前記外装箱は、前記蓋体を、前記容器本体の外形状に合わせて矩形箱状に形成し、前記小型情報機器の収納時、前記容器本体に前記蓋体を被せて、該蓋体の天板部で前記容器本体の開口を閉じてなることを特徴とする、請求項１、２、３又は４に記載の小型情報機器の配送容器。
【請求項６】
前記蓋体には、前記天板部の蓋面に上押えスポンジ材を張り付けてなることを特徴とする、請求項５に記載の小型情報機器の配送容器。
【請求項７】
前記蓋体を前記容器本体に被せたとき、掛止具と被掛止具とを係脱自在に掛け止めると共に、互いの対向面を面ファスナで剥離自在に貼着させて前記蓋体の開閉を２重にロックしてなることを特徴とする、請求項５又は６に記載の小型情報機器の配送容器。
【請求項８】
前記外装箱は、前記容器本体の前後に対向する正面板部および背面板部と左右に対向する両側面板部の各上縁に前記蓋体を連設し、該蓋体を、前記正面板部と前記背面板部の上縁にそれぞれ設ける折曲線を支点として屈曲自在に延び、前記容器本体の底面板部に合わせた大きさの内蓋片および外蓋片と、前記両側面板部の上縁にそれぞれ設ける折曲線を支点として屈曲自在に延び、前記底面板部の略半分の大きさを有した一対の中蓋片とで形成し、前記内蓋片を前記容器本体の開口に折り重ねてから、該内蓋片の上に折り重ねる前記中蓋片間を止め具で連結してロックする構成としてなることを特徴とする、請求項１、２、３又は４に記載の小型情報機器の配送容器。
【請求項９】
前記蓋体には、前記内蓋片の蓋面に上押えスポンジ材を張り付けてなることを特徴とする、請求項８に記載の小型情報機器の配送容器。
【請求項１０】
前記容器本体の前記背面板部には、前記中蓋片のロック状態を確認する透明な視認窓を設けてなることを特徴とする、請求項８又は９に記載の小型情報機器の配送容器。
【請求項１１】
前記蓋体の外蓋片を前記中蓋片の上に折り重ねて前記容器本体に被せたとき、掛止具と被掛止具とを係脱自在に掛け止めると共に、前記外蓋片と前記中蓋片の互いの対向面を面ファスナで剥離自在に貼着させて前記蓋体の開閉を３重にロックしてなることを特徴とする、請求項８、９又は１０に記載の小型情報機器の配送容器。
【発明の詳細な説明】
【技術分野】
【０００１】
本発明は、ノート型パソコンや携帯情報端末などの小型情報機器を収納し、修理や引越や納品などのために配送する場合に使用する小型情報機器の配送容器に関する。
【背景技術】
【０００２】
従来、たとえば修理などのため小型情報機器を、そのショップとメーカの修理工場間で往復配送する場合は、輸送中の振動や衝撃から保護するため、小型情報機器をクッション性包装材で包んでから、段ボール箱内に積め込み、さらに段ボール箱をシール用テープで封印して梱包している。また、従来の配送容器の中には、外箱と、使用時に折り曲げて組み立てる一対の段ボール製内箱とを備え、これら内箱を対向させて外箱内に配設し、互いの内箱に張設した合成樹脂シート間で製品を挟んで収納する包装構造にしたものもある（特許文献１参照）。
【特許文献１】特開２０００−２６４３６８号
【発明の開示】
【発明が解決しようとする課題】
【０００３】
ところが、従来の配送容器では、（１）ショップ側および修理工場側などにおいて、それぞれ段ボール箱、クッション性包装材、シール用テープなど、使い捨て梱包資材を使用して小型情報機器を梱包する構成であるため、容器として繰り返し使用できず、大量の小型情報機器を繰り返し配送する場合には、それだけ梱包資材費が嵩み、全体としての物流コストが著しく高くなるという課題があった。また、（２）使用時に、その都度、包装したり、前記内箱を折り曲げ加工して組み立てる必要があるため、小型情報機器の梱包・開梱作業に時間と手間がかかり、それだけ全体に輸送上の作業効率が悪いという課題がある。さらに、（３）段ボール箱等の梱包資材は、使用後に廃棄することになるので廃材が大量に発生し、これでは、環境保全上、資源の有効利用の要請に反し好ましくないという課題もあった。
【０００４】
そこで、本発明の目的は、繰り返し使用を可能にして梱包資材費を削減することによって物流コストを低減し、梱包・開梱作業を簡単にして作業効率を上げ、しかも、環境保全の要請にも十分適合する小型情報機器の配送容器を提供することにある。
【課題を解決するための手段】
【０００５】
そこで、上述した課題を解決すべく、請求項１に記載の発明は、たとえば以下に示す図示実施の形態のとおり、箱形の容器本体１・６０と該容器本体を開閉する蓋体２・６５とからなる外装箱Ａ・Ａ´と、前記容器本体内に出し入れ可能に上下に積層して配設する緩衝体Ｂ・Ｃとを備え、それら上下の緩衝体Ｂ・Ｃ間に、ノート型パソコンＰのような小型情報機器を挟んで前記外装箱内に収納し、その外装箱の前記蓋体を閉めたとき、前記小型情報機器を前記緩衝体Ｂ・Ｃ間で挟圧して保持する配送容器であって、前記上下緩衝体Ｂ・Ｃは、それぞれ収納する前記小型情報機器を圧接するとその外形状に合わせて凹状に弾性変形する低反発弾性を有したウレタン樹脂素材からなる第１クッション材１０・２０と、該第１クッション材１０・２０に張り合わせた第２のクッション材１５・２５とからなり、該第２クッション材１５・２５の前記第１クッション材１０・２０が張り合わさる片面１５ａ・２５ａに、前記小型情報機器の外形と対応する凹み形状の嵌め付け凹部３０・３５を形成してなることを特徴とする。
【０００６】
請求項２に記載の発明は、請求項１に記載の小型情報機器の配送容器において、たとえば以下に示す図示実施の形態のとおり、前記上下緩衝体Ｂ・Ｃの第１クッション材１０・２０は、それぞれ低反発弾性を有するポリエーテルポリオール系ウレタン樹脂からなることを特徴とする。
【０００７】
請求項３に記載の発明は、請求項１又は２に記載の小型情報機器の配送容器において、たとえば以下に示す図示実施の形態のとおり、前記上緩衝体Ｂの第２クッション材１５は、その他面１５ｂに前記小型情報機器の付属品収納凹部４０を形成してなることを特徴とする。
【０００８】
請求項４に記載の発明は、請求項１、２又は３に記載の小型情報機器の配送容器において、たとえば以下に示す図示実施の形態のとおり、前記外装箱には、前記容器本体内に出し入れ可能に嵌め込んで使用する上側開放型の内箱Ｄを内装し、該内箱Ｄ内に、間に前記小型情報機器を挟んで前記上緩衝体Ｂと前記下緩衝体Ｃを配設してなることを特徴とする。
【０００９】
請求項５に記載の発明は、請求項１、２、３又は４に記載の小型情報機器の配送容器において、たとえば以下に示す図示実施の形態のとおり、前記外装箱Ａは、前記蓋体２を、前記容器本体１の外形状に合わせて矩形箱状に形成し、前記小型情報機器の収納時、前記容器本体１に前記蓋体２を被せて、該蓋体２の天板部２ｃで前記容器本体１の開口を閉じてなることを特徴とする
【００１０】
請求項６に記載の発明は、請求項５に記載の小型情報機器の配送容器において、たとえば以下に示す図示実施の形態のとおり、前記蓋体２には、前記天板部２ｃの蓋面に上押えスポンジ材６を張り付けてなることを特徴とする。
【００１１】
請求項７に記載の発明は、請求項５又は６に記載の小型情報機器の配送容器において、たとえば以下に示す図示実施の形態のとおり、蓋体２を前記外装箱Ａに被せたとき、掛止具５と被掛止具３とを係脱自在に掛け止めると共に、互いの対向面を面ファスナ４・７で剥離自在に貼着させて前記蓋体２の開閉を２重にロックしてなることを特徴とする。
【００１２】
請求項８に記載の発明は、請求項１、２、３又は４に記載の小型情報機器の配送容器において、たとえば以下に示す図示実施の形態のとおり、前記外装箱Ａ´は、前記容器本体６０の前後に対向する正面板部６０ｂおよび背面板部６０ｃと左右に対向する両側面板部６０ｄ・６０ｅの各上縁に前記蓋体６５を連設し、該蓋体６５を、前記正面板部６０ｂと前記背面板部６０ｃの上縁にそれぞれ設ける折曲線ｗ・ｘを支点として屈曲自在に延び、前記容器本体６０の底面板部６０ａに合わせた大きさの内蓋片６５ｂおよび外蓋片６５ａと、前記両側面板部６０ｄ・６０ｅの上縁にそれぞれ設ける折曲線ｙ・ｚを支点として屈曲自在に延び、前記底面板部６０ａの略半分の大きさを有した一対の中蓋片６５ｃ・６５ｄとで形成し、前記内蓋片６５ｂを前記容器本体６０の開口に折り重ねてから、該内蓋片６５ｂの上に折り重ねる前記中蓋片６５ｃ・６５ｄ間を止め具７０で連結してロックする構成としてなることを特徴とする。
【００１３】
請求項９に記載の発明は、請求項８に記載の小型情報機器の配送容器において、たとえば以下に示す図示実施の形態のとおり、前記蓋体６５には、前記内蓋片６５ｂの蓋面に上押えスポンジ材５８を張り付けてなることを特徴とする。
【００１４】
請求項１０に記載の発明は、請求項８又は９に記載の小型情報機器の配送容器において、たとえば以下に示す図示実施の形態のとおり、前記容器本体６０の前記背面板部６０ｃには、前記中蓋片６５ｃ・６５ｄのロック状態を確認する透明な視認窓５５を設けてなることを特徴とする。
【００１５】
請求項１１に記載の発明は、請求項８、９又は１０に記載の小型情報機器の配送容器において、たとえば以下に示す図示実施の形態のとおり、前記蓋体６５の外蓋片６５ａを前記中蓋片６５ｃ・６５ｄの上に折り重ねて前記容器本体６０に被せたとき、掛止具５と被掛止具３とを係脱自在に掛け止めると共に、前記外蓋片６５ａと前記中蓋片６５ｃ・６５ｄの互いの対向面を面ファスナ５６・５９で剥離自在に貼着させて前記蓋体６５の開閉を３重にロックしてなることを特徴とする。
【発明の効果】
【００１６】
請求項１および２に記載の発明によれば、（１）外装箱の蓋体を閉めて小型情報機器を上下緩衝体間で挟圧保持すると、上下緩衝体における互いの第１クッション材が低反発弾性に従って小型情報機器の外形状に応じ撓んで凹状に弾性変形し、小型情報機器を隙間なく第２クッション材の嵌め付け凹部内に嵌め付け、第１クッション材間で囲い込み状態で挟持するため、配送容器を持ち運んだりするとき、小型情報機器を上下緩衝体で緩衝して振動や衝撃から保護しながら、上下緩衝体内で嵌め付けて動きを拘束し、振動や衝撃でずれ動くことなく確実に保持することができる。（２）従来の如く段ボール箱、クッション性包装材、シール用テープなど、使い捨て梱包資材を一切使用せず、頻繁に小型情報機器を梱包して配送する場合でも、繰り返し使用することができ、それだけ梱包資材を削減して全体の物流コストを低減させることができる。（３）しかも、組み立て不要なため、小型情報機器の梱包・開梱作業を手間なく簡単にして配送作業効率を上げることができる。（４）さらに、使用後に梱包資材の廃材を一切発生させず、その結果、資源の有効利用を実現して環境保全の要請に十分応えることもできる。
【００１７】
請求項３に記載の発明によれば、小型情報機器の付属品を、まとめて付属品収納凹部に入れることにより、それら付属品を紛失するような弊害の発生を防止することもできる。
【００１８】
請求項４に記載の発明によれば、外装箱は、容器本体内に出し入れ可能に嵌め込んで使用する内箱を内装し、この内箱内に、間に小型情報機器を挟んで上下緩衝体を配設する構成であるため、外装箱が容器本体に内箱を重ねて補強した２重箱構造となり、これにより、それだけ剛性が高められ、振動や衝撃等の外力から小型情報機器をより確実且つ安定的に保護することができ、耐久性が高められ、経時的に繰り返し使用に応えることもできる。また、配送後、小型情報機器を修理工程にのせるとき、内箱ごと容器本体から取り出せば、内箱をそのまま修理用の専用トレーとして使用することができ、その結果、修理用に専用のトレーを不要にし、その分だけ小型情報機器に対する全体の物流コストを削減することができる。
【００１９】
請求項５に記載の発明によれば、外装箱は、容器本体の外形状に合わせて、蓋体を矩形箱状に形成し、その箱型の蓋体を被せて該蓋体の天板部で容器本体の開口を閉じる構造であるため、蓋体を一度に被せるだけで、簡単に容器本体を閉じることができる。
【００２０】
請求項６および９に記載の発明によれば、蓋体を閉めてロックするとき、外装箱内で上下緩衝体を上押えスポンジ材で弾性的に押え付け、これにより、上下緩衝体間で小型情報機器を嵌め付けて効果的に挟圧保持することができる。
【００２１】
請求項７に記載の発明によれば、蓋体を外装箱に被せたとき、掛止具と被掛止具を掛け止め、さらに互いの対向面を面ファスナで貼着させることにより、蓋体の開閉を二重にロックし、簡単なロック構造により蓋体を確実にロックして安全性を高めることができる。
【００２２】
請求項８に記載の発明によれば、蓋体を、内蓋片および外蓋片と、その間の一対の中蓋片とで３重に重ねる構成とする一方で、内蓋片の上に折り重ねる中蓋片間を止め具で連結してロックする構成であるため、それだけ容器本体内に収める小型情報機器をより確実に封印することができる。
【００２３】
請求項１０に記載の発明によれば、視認窓から、止め具による中蓋片のロック状態を、随時確認することもでき、これにより、中蓋片の止め具による止め忘れを発見したり、配送担当者が故意に止め具を外したり切ったりしてロックを解除することを抑止することができる。
【００２４】
請求項１１に記載の発明によれば、蓋体の外蓋片を、止め具で止めた左右の中蓋片上に折り重ねて容器本体に被せるとき、掛止具と被掛止具とを掛け止めると共に、外蓋片と中蓋片の互いの対向面を面ファスナで剥離自在に貼着させることにより、蓋体を簡単に３重にロックしてより一層安全性を高めることができる。
【発明を実施するための最良の形態】
【００２５】
以下、図面を参照しつつ、本発明の実施の形態について説明する。
【００２６】
図１は、本発明による小型情報機器の配送容器の一例を示す分解斜視図である。図示配送容器は、小型情報機器の一例としてノート型パソコンＰを収納して輸送するための手段で、外装箱Ａと、外装箱Ａ内に出し入れ可能に配設する上下の緩衝体Ｂ・Ｃとで構成してなる。
【００２７】
外装箱Ａは、容器本体１と、容器本体１を開閉する蓋体２とからなる。容器本体１は、樹脂製板材を用いて上方開放型の四角い箱形に組み付け、正面板部１ａに同じ樹脂製の被掛止具３を付設している。被掛止具３は、上向きに差込み穴３ａを有し、その差込み穴３ａ内の外側内壁に係合凸部３ｂを設けている。また、左右の側面板部１ｂ・１ｂには、各々背面板部１ｃ寄りに面ファスナ４を貼着している。面ファスナ４としては、共に無数の微小な、鉤状フックを有するオス側テープと、ループを有するメス側テープとを剥離自在に貼り合わせて使用するマジックテープ（登録商標）を用いる。
【００２８】
蓋体２は、同じく樹脂製板材を用いて容器本体１に合わせて四角い箱形に組み付け、容器本体１の背面板部１ｃ上に後板部２ａを張り付けて一体に連結してなる。そして、後板部２ａの上縁で撓み可能に折り曲げ、その折曲ヒンジ部で回動させて容器本体１を開閉する構造になっている。蓋体２には、前板部２ｂに、容器本体１の被掛止具３に掛け止める掛止具５を付設している。掛止具５は、薄板な弾性差込み片５ａを有し、その弾性差込み片５ａの表側に、被掛止具３の係合凸部３ｂと対応する係合突起５ｂを設けている。天板部２ｃの蓋面には、上押えスポンジ材６を接着している。上押えスポンジ材６は、ポリウレタンフォーム製で所定厚さに形成し、その表面を多数の凸凹からなる凹凸面で形成してなる。そして、左右の側板部２ｄ・２ｄには、それぞれ後板部２ａ寄りに容器本体１の面ファスナ４と対応する面ファスナ７を貼着している。
【００２９】
なお、上記外装箱Ａの素材に使用する樹脂製板材としては、各種の小型情報機器の破損防止効果を奏するほどに剛性を有すると共に、静電気除去性能および帯電防止性能の点で優れ、しかも、化学分解型の発泡剤を用いた場合に発生するアンモニア等により電子部品・ＩＣ基盤を腐食させない防腐性に富んだ、発泡ポリプロピレン製板材を使用することが望ましい。
【００３０】
斯かる外装箱Ａ内に入れて使用する上緩衝体Ｂおよび下緩衝体Ｃは、共に、容器本体１の空間形状に合わせて矩形状に成形した異なるウレタン樹脂素材からなる、第１のクッション材１０・２０と第２のクッション材１５・２５とを一体に張り合わせて、各々単体のスポンジ体に形成してなる。特に一側の第１クッション材１０・２０は、それぞれ素材のウレタン樹脂を、収納する小型情報機器を圧接するとその外形状に合わせて凹状に弾性変形する、例えば反発弾性値が５％以下の低反発弾性を有したポリエーテルポリオール系ウレタン樹脂とし、それで比較的薄板状に形成してなる。他側の第２クッション材１５・２５は、各々のウレタン樹脂素材をポリウレタンフォームとし、第１クッション材１０・２０より肉厚板状に形成している。そこで、これら第２クッション材１５・２５には、図１および図２に示すように、片面１５ａ・２５ａに、それぞれノート型パソコンＰの外形状に合わせた矩形状をなす、浅底な（図示例では深さ略１ｃｍ）嵌め付け凹部３０・３５を設けている。そして、上下緩衝体Ｂ・Ｃは、それぞれ第２クッション材１５・２５の片面１５ａ・２５ａを、嵌め付け凹部３０・３５の四方側縁で第１クッション材１０・２０の片面１０ａ・２０ａに張り合わせて、各々上記したスポンジ体に形成している。
【００３１】
さらに、これら上下緩衝体Ｂ・Ｃのうち、上緩衝体Ｂには、第２クッション材１５の他面１５ｂに矩形な付属品収納凹部４０を形成している。一方、下緩衝体Ｃは、第２クッション材２５の他面２５ｂを、多数の凸凹からなる凹凸面により形成している。
【００３２】
さて、上述した構成の図示配送容器を用いて、例えばノート型パソコンＰを修理するために、ショップからメーカの修理工場へ配送する場合は、ショップにて、図１に示すように外装箱Ａの蓋体２を開けて、下緩衝体Ｃを、第１クッション材２０を上にして容器本体１内に入れる。それから、パソコンＰを包装材で包むことなく、そのまま図３に示すように、下緩衝体Ｃの第１クッション材２０上に載せる。すると、パソコンＰは、自重により第１のクッション材２０を凹状に撓ませて第２クッション材２５の嵌め付け凹部３５に沈み込む。そのとき、第１のクッション材２０は、低反発弾性に従ってパソコンＰの外形状に合わせて矩形凹状に弾性変形し、パソコンＰを隙間なく嵌め付け凹部３５に嵌め込む。そして、この載置時にパソコンＰが受ける衝撃は、下緩衝体Ｃで緩衝し、パソコンＰを保護する。
【００３３】
その後、上緩衝体Ｂを、付属品収納凹部４０を上向きにしてパソコンＰの上に重ねる。そして、図４に示すように、付属品収納凹部４０に、パソコンＰの付属品、例えばマウス４５やＡＣアダプタ５０等をまとめて入れる。しかる後、蓋体２を容器本体１に被せて、図５に示すように蓋体２を閉じる。そして、掛止具５の弾性差込み片５ａを被掛止具３の差込み３ａに差し込み、弾性差込み片５ａを撓ませて係合凸部５ｂを被掛止片３の係合突部３ｂに係合し、蓋体２の開閉をロックして箱詰めを終える。このとき、容器本体１と蓋体２とを互いの面ファスナ４・７を貼り合わせて止着し、蓋体２の開閉を二重にロックする。
【００３４】
本発明の配送容器は、このように蓋体２を閉めてロックすると、外装箱Ａ内でパソコンＰを挟んで重ねた上下緩衝体Ｂ・Ｃが、上押えスポンジ材６を介して弾性的に押え付けられ、これら上下緩衝体Ｂ・Ｃ間でパソコンＰを挟圧する。すると、上緩衝体Ｂにおいても、第１のクッション材１０が低反発弾性に従ってパソコンＰの外形状に合わせて矩形凹状に上向きに撓み、パソコンＰの上部側を隙間なく第２クッション材１５の嵌め付け凹部３０に嵌め付けた状態する。その結果、パソコンＰは、その全体が上下緩衝体Ｂ・Ｃにおける第２クッション材１５・２５の嵌め付け凹部３０・３５内に嵌め付けられ、上下の第１クッション材１０・２０により隙間なく囲い込んだ状態で挟持される。
【００３５】
こうして箱詰めを終えると、メーカの修理工場へ配送する。そして、配送途中で配送容器を持ち運ぶとき、パソコンＰを、上下緩衝体Ｂ・Ｃで緩衝して振動や衝撃から保護すると同時に、上下緩衝体Ｂ・Ｃの嵌め付け凹部３０・３５内で嵌め付けて動きを拘束し、振動や衝撃でずれ動くことなく保持することができる。
【００３６】
パソコンＰが修理工場に入荷されると、掛止具５の弾性差込み片５ａを押し込んで係合凸部５ｂを被掛止片３の係合突部３ｂから外し、さらに容器本体１と蓋体２の面ファスナ４・７を剥がして蓋体２の開閉ロックを解除する。そして、図４に示すように蓋体２を開けて、外装箱Ａから上下緩衝体Ｂ・Ｃを取り出し、そのまま修理用の専用トレーとして使用する。つまり、パソコンＰを収納したまま、修理ラインにのせて必要な修理工程へと進めることができる。
【００３７】
ところで、本発明による小型情報機器の配送容器は、上記した第１の図示例の構成に代えて、以下に示す如く構成することもできる。第２の図示他例では、第１例の配送容器の構成部と同一の構成部分には、同じ符号を付して説明する。
【００３８】
図６は、本発明による配送容器の他例を示す分解斜視図である。図示他例の配送容器は、第１の図示例と同様に小型情報機器としてノート型パソコンＰを収納して輸送するための手段であるが、外装箱Ａ´と、外装箱Ａ´内に出し入れ可能に配設する上下の緩衝体Ｂ・Ｃとで構成すると共に、上下緩衝体Ｂ・Ｃを、内箱Ｄを介して外装箱Ａ´内に配設する構成になっている。
【００３９】
そこで、外装箱Ａ´は、樹脂製板材を用いて組み立てられ、上方を開放した矩形箱の容器本体６０と、容器本体６０の四方上縁に連設した複数の板片により形成された蓋体６５とからなる。容器本体６０は、底面板部６０ａと、その図中前後で対向して立設した正面板部６０ｂおよび背面板部６０ｃと、左右に対向して立設した両側面板部６０ｄ・６０ｅとからなり、正面板部６０ｂに前記した被掛止具３を付設している。
【００４０】
蓋体６５は、容器本体６０の背面板部６０ｃの上縁に設けた折曲線ｗを支点として屈曲自在に延びる外蓋片６５ａと、正面板部６０ｂの上縁に設けた折曲線ｘを支点として屈曲自在に延びる内蓋片６５ｂと、両側面板部６０ｄ・６０ｅの上縁にそれぞれ設けた折曲線ｙ・ｚを支点として屈曲自在に延びる左右一対の中蓋片６５ｃ・６５ｄとで形成してなる。
【００４１】
外蓋片６５ａは、容器本体６０の底面板部６０ａに合わせた大きさの方形な平板部５３と、その先端縁を略直角に折り曲げた曲げ片部５４とからなり、曲げ片部５４に、容器本体６０の被掛止具３に掛け止める前記した掛止具５を付設している。また、平板部５３には、その基端寄り略中央に小穴をあけ、そこに透明な樹脂シートを貼着して中蓋片６５ｃ・６５ｄのロック状態を確認する視認窓５５を形成している。さらに、外蓋片６５ａには、表側蓋面の中央に、輸送用原票の図中点線で示す貼付面４９を形成している。原票貼付面４９は、そこに表面が粗面の樹脂製シートを接着して形成し、輸送用原票を容易に剥離可能に貼り付けられるようにしている。一方、裏側蓋面には、左右両側縁寄りに面ファスナ５６・５６を貼着している。
【００４２】
内蓋片６５ｂは、外蓋片６５ａと同様に底面板部６０ａに合わせた大きさの方形板状をなし、先端縁の中央に半円形の手掛け用穴５７を設けている。そして、裏側の蓋面には、前記した上押えスポンジ材６と同様な構成の上押えスポンジ材５８を接着している。
【００４３】
中蓋片６５ｃ・６５ｄは、それぞれ底面板部６０ａの略半分の大きさの方形板状をなし、表側の蓋面の折曲線ｙ・ｚ寄りに、外蓋片６５ａの面ファスナ５６・５６と対応する面ファスナ５９・５９を貼着している。また、中蓋片６５ｃ・６５ｄには、それぞれ先端縁における外蓋片６５ａの折曲線ｗ寄り、即ち視認窓５５寄りに、後述する止め具７０を通す小さな封印穴６１・６１をあけている。
【００４４】
内箱Ｄは、樹脂製板材を用い、外装箱Ａ´の容器本体６０に合わせて、それに嵌め込み可能な大きさの矩形箱状に組み立てられ、両側板部６２・６２に取手穴６２ａが設けられている。そして、図示他例の配送容器では、外装箱Ａ´において、斯かる内箱Ｄを、容器本体６０内に出し入れ可能に嵌め込んで内装し、該内箱Ｄ内に、間に小型情報機器を挟んで収納するため、予め上緩衝体Ｂと下緩衝体Ｃを重ねて配設している。
【００４５】
さて、上述のように構成した図示他例の配送容器を用い、たとえばノート型パソコンＰを修理するために、ショップからメーカの修理工場へ配送する場合は、ショップにて、蓋体６５が開放状態の外装箱Ａ´内の内箱Ｄの中から、いったん上緩衝体Ｂを取り出してから、パソコンＰを、包装材で包むことなくそのまま、図７に示すように下緩衝体Ｃの第１クッション材２０上に載せる。すると、パソコンＰは、自重により第１のクッション材２０を凹状に撓ませて第２クッション材２５の嵌め付け凹部３５に沈み込む。そのとき、第１のクッション材２０は、低反発弾性に従ってパソコンＰの外形状に合わせて矩形凹状に弾性変形し、パソコンＰを隙間なく嵌め付け凹部３５に嵌め込む。そして、この載置時にパソコンＰが受ける衝撃は、下緩衝体Ｃで緩衝し、パソコンＰを保護する。
【００４６】
その後、上緩衝体Ｂを、付属品収納凹部４０を上向きにしてパソコンＰの上に重ねて内箱Ｄ内に収納する。そして図８に示すように、上緩衝体Ｂの付属品収納凹部４０に、パソコンＰの付属品、例えばマウス４５やＡＣアダプタ５０等を入れる。
【００４７】
しかる後、蓋体６５を閉じて容器本体６０に被せ、パソコンＰを箱詰めする。そのときは、先ず蓋体６５の内蓋片６５ｂを倒し、上緩衝体Ｂ上に、図９に示すように折り重ねる。それから、左右の中蓋片６５ｃ・６５ｄを倒して内蓋片６５ｂ上に折り重ねてから、図１０に示すように、封印穴６１・６１に樹脂紐状の止め具７０を通し、その止め具７０で連結して中蓋片６５ｃ・６５ｄの開閉をロックする。なお、図示例の止め具７０は、いったん両端を繋ぐと、切断しない限り外れない嵌め殺し状態となる構造の固定手段である。次いで、外蓋片６５ａを倒して平板部５３を中蓋片６５ｃ・６５ｄ上に折り重ね、互いの面ファスナ５６・５９を貼り合わせて止着し、掛止具５を被掛止具３に掛け止める。こうして掛止具５と止め具７０と面ファスナ５６・５９とで蓋体６５の開閉を３重にロックし、図１１に示すように箱詰めを終える。
【００４８】
図示他例の配送容器は、蓋体６５の蓋片をすべて閉めてロックすると、外装箱Ａ´内でパソコンＰを挟んで重ねた上下緩衝体Ｂ・Ｃが、内箱Ｄ内で上押えスポンジ材５８を介して弾性的に押え付けられ、これら上下緩衝体Ｂ・Ｃ間でパソコンＰを挟圧する。すると、前述したと同様、上緩衝体Ｂにおいても、第１のクッション材１０が低反発弾性に従ってパソコンＰの外形状に合わせて矩形凹状に上向きに撓み、パソコンＰの上部側を隙間なく第２クッション材１５の嵌め付け凹部３０に嵌め付けた状態する。その結果、パソコンＰは、その全体が上下緩衝体Ｂ・Ｃにおける第２クッション材１５・２５の嵌め付け凹部３０・３５内に嵌め付けられ、上下の第１クッション材１０・２０により隙間なく囲い込んだ状態で挟持されて箱詰めされる。
【００４９】
箱詰めを終えると、メーカの修理工場へ配送する。そして、配送途中で配送容器を持ち運ぶとき、パソコンＰを、上下緩衝体Ｂ・Ｃで緩衝して振動や衝撃から保護すると同時に、上下緩衝体Ｂ・Ｃの嵌め付け凹部３０・３５内で嵌め付けて動きを拘束し、振動や衝撃でずれ動くことなく保持することができる。しかも、図示他例の配送用器では、外装箱Ａ´が、容器本体６０に内箱Ｄを重ねて補強した２重箱構造であると共に、蓋体６５も蓋片６５ａ〜６５ｄを重ねた３重蓋構造であるため、それだけ剛性が高まり、振動や衝撃等の外力からパソコンＰがより確実に保護される。なお、図示他例の配送容器では、図１１に示すように、視認窓５５から、外部へ臨む止め具７０による中蓋片６５ｃ・６５ｄのロック状態を、随時確認することもできる。これにより、中蓋片６５ｃ・６５ｄの止め具７０による止め忘れを発見したり、配送担当者が故意に止め具７０を切ってロックを外したりすることを抑止することができる。
【００５０】
さて、図示他例の配送用器は、配送後にパソコンＰが修理工場に入荷されると、先ず掛止具５の被掛止具３の掛け止めを外してから、面ファスナ５６・５９を剥がして蓋体６５の外蓋片６５ａを開く。それから、止め具７０を切断して封印を解いてから、左右の中蓋片６５ｃ・６５ｄを開く。そして、手掛け用穴５７に指を掛けて内蓋片６５ｂを開けてから、内箱Ｄを容器本体６０から取り出す。しかる後、内箱Ｄを、そのまま修理用の専用トレーとして使用し、パソコンＰを上下緩衝体Ｂ・Ｃで保護して収納したまま、内箱Ｄを修理ラインにのせて必要な修理工程へと進める。そうして修理を終えたパソコンＰは、前記図７を参照して説明したように、内箱Ｄ内に入れた下緩衝体Ｃの第１クッション材２０上に、包まずそのまま載せてから、修理済みパソコンＰ上に上緩衝体Ｂを重ねて内箱Ｄ内に入れる。それから、取手穴６２ａに手を掛けて内箱Ｄを持ち上げ、前記図８に示すように容器本体６０内に嵌め入れ、上述のように蓋体６５の各蓋片を閉じて箱詰めしてから、元のショップへと配送する。
【００５１】
なお、以上の図示配送容器では、収納対象の小型情報機器がノート型パソコンＰであったが、本発明は、それに限らず、各種の小型情報機器を収納することができる。その場合、収納する各種小型情報機器の外形状に合わせて、上下緩衝体における第２クッション材の嵌め付け凹部を形成する。
【図面の簡単な説明】
【００５２】
【図１】本発明による小型情報機器の配送容器の一例を示す分解斜視図である。
【図２】配送容器に備える上下緩衝体の構造を示す縦断面図である。
【図３】配送容器を、蓋体を開けてノート型パソコンを下緩衝体上に載置した状態で示す斜視図である。
【図４】配送容器を、蓋体を開けて付属品を上緩衝体の付属品収納凹部に入れた状態で示す斜視図である。
【図５】配送容器を、蓋体を被せて外装箱を閉じた状態で示す斜視図である。
【図６】本発明の配送容器の他例を示す分解斜視図である。
【図７】他例の配送容器に備える内蓋の構造を下緩衝体の収納状態で示す斜視図である。
【図８】他例の配送容器を、蓋体を開けてパソコンの付属品を上緩衝体の付属品収納凹部に入れた状態で示す斜視図である。
【図９】他例の配送容器を蓋体の内蓋片を閉めた状態で示す斜視図である。
【図１０】他例の配送容器を蓋体の中蓋片を閉めた状態で示す斜視図である。
【図１１】他例の配送容器を箱詰めを終えた状態で示す斜視図である。
【符号の説明】
【００５３】
Ａ                  外装箱
Ｂ                  上緩衝体
Ｃ                  下緩衝体
Ｄ                  内箱
Ｐ                  ノート型パソコン（小型情報機器）
ｗ・ｘ・ｙ・ｚ      折曲線
１・６０            容器本体
２・６５            蓋体
３                  被掛止具
４・７・５６・５９  面ファスナ
５                  掛止具
６・５８            上押えスポンジ材
１０・２０          第１のクッション材
１５・２５          第２のクッション材
３０・３５          嵌め付け凹部
４０                付属品収納凹部
５５                視認窓
６０ａ              底面板部
６０ｂ              正面板部
６０ｃ              背面板部
６０ｄ・６０ｅ      側面板部
６５ａ              外蓋片
６５ｂ              内蓋片
６５ｃ・６５ｄ      中蓋片
７０                止め具
【図１】
2005206250.tif 000003
【図２】
2005206250.tif 000004
【図３】
2005206250.tif 000005
【図４】
2005206250.tif 000006
【図５】
2005206250.tif 000007
【図６】
2005206250.tif 000008
【図７】
2005206250.tif 000009
【図８】
2005206250.tif 000010
【図９】
2005206250.tif 000011
【図１０】
2005206250.tif 000012
【図１１】
2005206250.tif 000013